(57)【要約】【課題】  この発明は、駐車場や公共施設等において出入口にチェーンを張ったり、開放したりして出入の車両の規制を行っている無断駐車及び侵入防止装置であって、チェーンの開閉状態の際に、チェーンが車両の出入の邪魔にならず、安価で見た目にも体裁の良い無断駐車及び侵入防止装置を開発・提供するものである。【解決手段】  上記の課題を解決する為に、駐車場や公共施設等の出入口にチェーンを手動或いは動力により巻き取る事が可能な装置を有するメインポールとサブポールとをそれぞれ立設し、サブポールのアーム先端部にはチェーンの先端を固定して設け、該チェーンはメインポール先端内部のチェーン巻取りホィールの外周部を挿通し、メインポール内に巻き取り収納可能にした事を特徴とする無断駐車及び侵入防止装置である。【選択図】    図１１
2005030085.tif 000002
【特許請求の範囲】
【請求項１】
駐車場や公共施設等の進入路の左右両脇に、所定長さ（Ｌ）のチェーン（４）を手動式、或いは動力等による自動式巻き取り収納可能な装置を有するメインポール（１）と、該チェーン（４）の先端を着脱可能な引っ掛け部材を設けたサブポール（２）と、且つ、該チェーン（４）はメインポール（１）上端内部のチェーン巻取りホィール（１ｄ）の外周部へ挿通し、メインポール（１）内に巻き取り収納可能にした事を特徴とする無断駐車及び侵入防止装置。
【請求項２】
駐車場や公共施設等の進入路の左右両脇に、所定長さ（Ｌ）のチェーン（４）を手動式、或いは動力等による自動式巻き取り収納可能な装置を有するメインポール（１）と、該チェーン（４）の先端を鍵等の固着手段（Ｋ２）により着脱可能な引っ掛け部材（２ｂ）（２ｃ）を有するサブポール（２）と、メインポール（１）とサブポール（２）間にチェーン（４）を枢支可能な中間ポール（３）を設け、且つ、該チェーン（４）はメインポール（１）上端内部のチェーン巻取りホィール（１ｄ）の外周部へ挿通し、メインポール（１）内に巻き取り収納可能にした事を特徴とする無断駐車及び侵入防止装置。
【請求項３】
メインポール（１）の上端中心部に左右両軸をベアリング等の軸受部材（１ｃ）で軸支した回転軸（１ｂ）と逆転防止用ラチェット（１ｅ）付チェーン巻取りホィール（１ｄ）を組み合せて設け、且つ、該回転軸（１ｂ）の左右両先端部にハンドル等による手動式、或いは動力等の自動式回転手段（１ａ）を設け、且つ、該チェーン（４）は、チェーンガイド（１ｈ）を介してチェーン巻取りホィール（１ｄ）の外周部へ挿通し、メインポール本体（１'）内に巻き取り収納可能にし、且つ、該メインポール本体（１'）の下端部にチェーン（４）の一端を固着可能なフック等の固着部材（Ｆ）を設け、且つ、該メインポール本体（１'）の下端外周部にフランジ等の固定部材（１ｊ）を溶着して設け、且つ、アンカーボルト・ナット等の固定部材（Ｂ）により固着可能にした事を特徴とする請求項第１又は第２記載の無断駐車及び侵入防止装置。
【請求項４】
サブポール（２）の上端中心部に鍵等の固着手段（Ｋ２）を用いて開閉可能なチェーン引っ掛け部材（２ｂ）（２ｃ）を設け、且つ、該サブポール本体（２'）の下端外周部にフランジ等の固定部材（２ｅ）を溶着して設け、且つ、アンカーボルト・ナット等の固着部材（Ｂ）により固着可能にした事を特徴とする請求項第１又は第２記載の無断駐車及び侵入防止装置。
【請求項５】
中間ポール（３）の上端部にチェーンサポートの上蓋部（３ａ）を上下移動させて開閉し、且つ、該チェーン（４）を横から着脱可能にし、且つ、該中間ポール本体（３ｂ）の下端部を挿着し固着可能な上蓋（Ｐ'）付さや管等の固着部材（Ｐ）を地中に埋設して設けた事を特徴とする請求項第１又は第２記載の無断駐車及び侵入防止装置。
【発明の詳細な説明】
【技術分野】
【０００１】
この発明は、無断駐車及び侵入防止装置に関するものである。
【背景技術】
【０００２】
従来、無断駐車及び侵入防止装置には、チェーンを張設したものが多く見受けられるが、大抵は、見た目に雑なもので有り、開閉状態の際にもチェーンがポールと平行に落下しておらず、ポール付近に斜め方向に垂れ下がった状態にあり、このチェーンを車輪で轢くとポールが引っ張られて曲がってしまうという欠点があり、決して思わしいものではなかった。
【０００３】
しかし、このチェーンを用いた無断駐車及び侵入防止装置がコスト的にも安価であり、これを体裁良く製作し、しかも安価な無断駐車及び侵入防止装置を開発・提供する事が要望されている。
【発明の開示】
【発明が解決しようとする課題】
【０００４】
そこで、この発明は、駐車場や公共施設等において出入口にチェーンを張ったり、開放したりして出入の車両の規制を行っている無断駐車及び侵入防止装置であって、チェーンの開閉状態の際に、チェーンが車両の出入の邪魔にならず、安価で見た目にも体裁の良い無断駐車及び侵入防止装置を開発・提供するものである。
【課題を解決するための手段】
【０００５】
この発明は、上記の課題を解決する為に、駐車場や公共施設等の出入口にチェーンを手動或いは動力により巻き取る事が可能な装置を有するメインポールとサブポールとをそれぞれ立設し、サブポールのアーム先端部にはチェーンの先端を固定して設け、該チェーンはメインポール先端内部のチェーン巻取りホィールの外周部を挿通し、メインポール内に巻き取り収納可能にした事を特徴とする無断駐車及び侵入防止装置である。
【発明の効果】
【０００６】
チェーンをメインポール本体（１’）内に巻き取り収納可能型にする事で、開放時の美観が従来品に比較し数段良くなり、雨天時等の錆防止対策に有利で、且つ、メインポール（１）側の専用キー（Ｋ１）を使用してラチェット方式によるチェーン固定部を瞬時に解放可能にする事で、緊急時等の対応が敏速に成り、且つ、中間ポールの下部にさや管を使用してワンタッチ着脱方式にし、更に、ポール上端のチェーンサポート部を横からワンタッチで入出可能にする事で操作性・経済性が改善され、且つ、煩わしさが解消される等極めて有益なる効果を奏するものである。
【発明を実施するための最良の形態】
【０００７】
そこで、この発明の一実施例を図１〜図  に従って詳述すると、駐車場や公共施設等の進入路の左右両脇に、所定長さ（Ｌ）のチェーン（４）を手動式、或いは動力等による自動式巻き取り収納可能な装置を有するメインポール（１）と、該チェーン（４）の先端を着脱可能な引っ掛け部材を設けたサブポール（２）と、且つ、該チェーン（４）はメインポール（１）上端内部のチェーン巻取りホィール（１ｄ）の外周部へ挿通し、メインポール（１）内に巻き取り収納可能にした事を特徴とする無断駐車及び侵入防止装置から構成される。
【０００８】
又、駐車場や公共施設等の進入路の左右両脇に、所定長さ（Ｌ）のチェーン（４）を手動式、或いは動力等による自動式巻き取り収納可能な装置を有するメインポール（１）と、該チェーン（４）の先端を鍵等の固着手段（Ｋ２）により着脱可能な引っ掛け部材（２ｂ）（２ｃ）を有するサブポール（２）と、メインポール（１）とサブポール（２）間にチェーン（４）を枢支可能な中間ポール（３）を設け、且つ、該チェーン（４）はメインポール（１）上端内部のチェーン巻取りホィール（１ｄ）の外周部へ挿通し、メインポール（１）内に巻き取り収納可能にした事を特徴とする無断駐車及び侵入防止装置から構成される。
【０００９】
又、メインポール（１）の上端中心部に左右両軸をベアリング等の軸受部材（１ｃ）で軸支した回転軸（１ｂ）と逆転防止用ラチェット（１ｅ）付チェーン巻取りホィール（１ｄ）を組み合せて設け、且つ、該回転軸（１ｂ）の左右両先端部にハンドル等による手動式、或いは動力等の自動式回転手段（１ａ）を設け、且つ、該チェーン（４）は、チェーンガイド（１ｈ）を介してチェーン巻取りホィール（１ｄ）の外周部へ挿通し、メインポール本体（１’）内に巻き取り収納可能にし、且つ、該メインポール本体（１’）の下端部にチェーン（４）の一端を固着可能なフック等の固着部材（Ｆ）を設け、且つ、該メインポール本体（１’）の下端外周部にフランジ等の固定部材（１ｊ）を溶着して設け、且つ、アンカーボルト・ナット等の固定部材（Ｂ）により固着可能にした事を特徴とする請求項第１又は第２記載の無断駐車及び侵入防止装置から構成される。
【００１０】
又、サブポール（２）の上端中心部に鍵等の固着手段（Ｋ２）を用いて開閉可能なチェーン引っ掛け部材（２ｂ）（２ｃ）を設け、且つ、該サブポール本体（２’）の下端外周部にフランジ等の固定部材（２ｅ）を溶着して設け、且つ、アンカーボルト・ナット等の固着部材（Ｂ）により固着可能にした事を特徴とする請求項第１又は第２記載の無断駐車及び侵入防止装置から構成される。
【００１１】
又、中間ポール（３）の上端部にチェーンサポートの上蓋部（３ａ）を上下移動させて開閉し、且つ、該チェーン（４）を横から着脱可能にし、且つ、該中間ポール本体（３ｂ）の下端部を挿着し固着可能な上蓋（Ｐ’）付さや管等の固着部材（Ｐ）を地中に埋設して設けた事を特徴とする請求項第１又は第２記載の無断駐車及び侵入防止装置から構成される。
【００１２】
次に、この発明の主要部品について説明すると、メインポール（１）とサブポール（２）と中間ポール（３）とチェーン（４）で構成され、中間ポール（３）は進入路のスパン長さ（Ｌ）に応じた必要本数だけ使用する。
【００１３】
又、メインポール（１）は、支柱の断面形状が外径１０１．６ｍｍの円形状のものと、一辺が１６０ｍｍの角形状の二種類に分類され、何れも材質は概観的に見栄えが良く、錆び難いステンレス製を使用している。
【００１４】
又、サブポール（２）はピラー型と壁付・埋込型の２種類に分類され、取り付け場所の条件や予算に応じて選択出来る様に成っている。
【００１５】
又、中間ポール（３）は、チェーンサポート用溝部（３ｂ’）が固定型のものと、着脱自在型の２種類に分類され、上記同様取り付け場所の条件や予算に応じて選択出来る様に成っている。
【００１６】
又、チェーン（４）は図１０に示す様に、チェーン本体（４ａ）の両端部に円形の金輪を設け、本体固定側の金輪（４ｃ）は溶接着けで、サブポール側の金輪（４ｂ）はシャックル等の保護継手（４ｄ）により固着され、損傷した場合に新品と交換出来る様に成っている。
【００１７】
続いて、この発明の取り扱いについて説明すると、まず、チェーン（４）を張る場合、メインポール（１）本体の上端部のキーキャップ（ＫＣ）を上方向に回転させてずらし、専用キー（Ｋ１）をキー穴（Ｋ１’）に差し込み左方向９０度回して止めるとチェーン（４）の引き出しがフリーになり、チェーン先端部（４ｂ）を持ってサブポール（２）の所まで歩いて行き、チェーン（４）の先端部をサブポール（２）の引っ掛け部材（２ｂ）（２ｃ）に引っ掛ける。この際、サブポール（２）の引っ掛け部材（２ｂ）（２ｃ）が閉状態に成っている時は、専用キー（Ｋ２）を使用して引っ掛け部材（２ｂ）（２ｃ）を開状態にしてからチェーン先端部（４ｂ）を引っ掛け部材（２ｂ）（２ｃ）に引っ掛けた後、再度引っ掛け部材（２ｂ）（２ｃ）を閉状態にする。
【００１８】
そして、次にメインポール（１）側に戻り、ハンドル（１ａ）のグリップ（１ａ’）を引き起こし、矢印方向（右回転）にゆっくり回転させてチェーン（４）を張り上げる。そして、チェーン（４）が地面から離れ、グリップ（１ａ’）にチェーン（４）の重みを感じる様に成ったら、キー（Ｋ）を元の位置まで戻すとハンドル（１ａ）が逆転しなくなるので続けて巻いていき、チェーン（４）の高さ位置が地面から約６５０〜７００ｍｍ程度になったら止める。又、チェーン張りが終了後は、ハンドル（１ａ）のグリップ（１ａ’）部を折り畳んで収納し、キー（Ｋ１）を抜き取り、キーキャップ（ＫＣ）を元の位置に戻して完了。
【００１９】
次に、チェーンを降下（開放）させる場合は、まず、専用キー（Ｋ１）を使用してチェーン先端部をサブポール（２）の引っ掛け部材（２ｂ）（２ｃ）を開状態にしてチェーンを外す。この際、チェーン（４）が引っ掛け部材（２ｂ）（２ｃ）から外れて地面上に落ちた場合、メインポール（１）側に戻り、上端部のキーキャップ（ＫＣ）をずらして専用キー（Ｋ１）を差し込み、左方向に９０度回して止めハンドル（１ａ）をフリー状態にしてゆっくりと回してチェーン（４）をエンドマークまで巻き取り収納する。
【００２０】
そして、チェーン（４）がエンドマークまで収納できたら、キー（Ｋ１）を抜き取り、キーキャップ（ＫＣ）を元に戻して完了する。
【００２１】
又、着脱型中間ポール（３）を使用する際は、事前にサヤ管（Ｐ）を埋設しておき、ポールを挿着する時は、チェーン溝（３ｂ’）がチェーン（４）の長手方向に対して４５度捻った状態でサヤ管（Ｐ）に差し込み、次にチェーンの長手線上に４５度左回転させて固定する。
【図面の簡単な説明】
【００２２】
【図１】この発明の一実施例を示し、メインポールの正面図である。
【図２】この発明の一実施例を示し、メインポールの一部欠截側面図である。
【図３】この発明の一実施例を示し、図１のａ−ａ断面詳細図である。
【図４】この発明の一実施例を示し、図２のａ−ａ断面詳細図である。
【図５】この発明の一実施例を示し、サブポールの正面図である。
【図６】この発明の一実施例を示し、サブポールの側面図である。
【図７】この発明の一実施例を示し、図６ａ部の内部拡大詳細図である。
【図８】この発明の一実施例を示し、中間ポール閉時の正面図である。
【図９】この発明の一実施例を示し、中間ポール開時の正面図である。
【図１０】この発明の一実施例を示し、チェーンの正面図である。
【図１１】この発明の使用例を示し、（Ａ）は中間ポール未使用時の正面図で、（Ｂ）は中間ポール使用時の正面図である。
【符号の説明】
【００２３】
１  メインポール
１’  メインポール本体
１ａ  回転手段
１ｂ  回転軸
１ｃ  軸受部材
１ｄ  チェーン巻取りホィール
１ｅ  ラチェット
１ｆ  ラチェットクロー
１ｇ  スプリング
１ｈ  チェーンガイド
１ｉ  パイプガイド
１ｊ  固定部材
２  サブポール
２’  サブポール本体
２ａ  ロッキングアーム
２ｂ  チェーン引っ掛け部材
２ｃ  チェーン引っ掛け部材
２ｄ  スプリング
２ｅ  スプリング
３  中間ポール
３ａ  上蓋部
３ｂ  中間ポール本体
３ｂ’  チェーンサポート用溝部
４  チェーン
４ａ  チェーン本体
４ｂ  サブポール側の金輪
４ｃ  本体固定側の金輪
４ｄ  シャックル等の保護継手
Ｂ  アンカーボルト・ナット等の固定部材
Ｆ  フック等の固着部材
Ｋ１  専用キー
Ｋ１’  キー穴
Ｋ２  鍵等の固着手段
ＫＣ  キーキャップ
Ｌ  チェーンの所定長さ
Ｐ  さや管等の固着部材
Ｐ’  上蓋
【図１】
2005030085.tif 000003
【図２】
2005030085.tif 000004
【図３】
2005030085.tif 000005
【図４】
2005030085.tif 000006
【図５】
2005030085.tif 000007
【図６】
2005030085.tif 000008
【図７】
2005030085.tif 000009
【図８】
2005030085.tif 000010
【図９】
2005030085.tif 000011
【図１０】
2005030085.tif 000012
【図１１】
2005030085.tif 000013
【手続補正書】
【提出日】平成15年7月9日(2003.7.9)
【手続補正１】
【補正対象書類名】明細書
【補正対象項目名】０００７
【補正方法】変更
【補正の内容】
【０００７】
そこで、この発明の一実施例を図１〜図１０に従って詳述すると、駐車場や公共施設等の進入路の左右両脇に、所定長さ（Ｌ）のチェーン（４）を手動式、或いは動力等による自動式巻き取り収納可能な装置を有するメインポール（１）と、該チェーン（４）の先端を着脱可能な引っ掛け部材を設けたサブポール（２）と、且つ、該チェーン（４）はメインポール（１）上端内部のチェーン巻取りホィール（１ｄ）の外周部へ挿通し、メインポール（１）内に巻き取り収納可能にした事を特徴とする無断駐車及び侵入防止装置から構成される。